(57)【要約】      （修正有）【課題】引き出しやすく、密閉度を下げて包むことができる食品包装用ロールラップフィルムを提供する。【解決手段】食品包装用ロールラップフィルムの中心軸と平行な方向に沿って、フィルムの端部に多数の穴を設ける。フィルムの表面におうとつを設ける。【選択図】図１
0003174396.tif 000002
【実用新案登録請求の範囲】
【請求項１】
食品包装用ロールラップフィルムであって、該食品包装用ロールラップフィルムの長手方向に沿って端部に、多数の穴又は切れ目を設けたことを特徴とする食品包装用ロールラップフィルム。
【請求項２】
前記の請求項１に記載した食品包装用ロールラップフィルムの表面におうとつを設けたことを特徴とする食品包装用ロールラップフィルム。
【考案の詳細な説明】
【技術分野】
【０００１】  本考案は、簡単に引き出しができる食品包装用ロールラップフィルムの本体に関するものである
【背景技術】
【０００２】  従来から知られている食品包装用ロールラップフィルムは、特開２００３−３３５３６１で知られているように、平面透明フィルムで巻回している。そのため、箱の外側に引き出しにくく、また切れ目が見つけにくい。
【先行技術文献】
【特許文献】
【０００３】
【特許文献１】特開平２００３−３３５３６１公報
【考案の概要】
【考案が解決しようとする課題】
【０００４】  考案が解決しようとする課題は、従来の食品包装用ロールラップフィルムが、平面透明フィルムで巻回しているためうまく引き出せない。また食品包装用ロールラップフィルム同士が張り付き引き出す作業をやり直す等、非効率である。さらに、切り始めがうまく出来ても切り取りする力の加減によっては上記のように食品包装用ロールラップフィルム同士が張り付き、無駄になる。特に力の加減の難しい子供や高齢者にとっては扱いにくい製品になっている。さらに食品をラップする際に密閉度を下げて包むことができることを目的とする。
今日、巻回した食品包装用ロールラップフィルムを箱の外に引き出す時の引き出しの手軽さを消費者から求められている。
【課題を解決するための手段】
【０００５】  本考案は、上記課題を解決するために、食品包装用ロールラップフィルムの長手方向に沿って端部に、多数の穴又は切れ目を設けたことを特徴とする食品包装用ロールラップフィルムである。また前記に記載した食品包装用ロールラップフィルムの表面におうとつを設けたことを特徴とする食品包装用ロールラップフィルムである。
【考案の効果】
【０００６】  上述のように、本考案は長手方向に沿って端部に細かい穴又は切れ目を設けたことで切り始め位置が分かりやすくなり、スムーズにフィルムを引き出すことができる。また細かいおうとつを設けたことでより簡単に巻回したフィルムを引き出すことができ、さらに食品をラップする際に密閉度を上げたり下げたりすることが出来る。
以上の発明により、誰にでも簡単に食品包装用ロールラップフィルムを扱うことができる。従来、無駄にしていた食品包装用ロールラップフィルムの量が低減するため二酸化炭素の削減となり環境に優しくなる。なお、細かいおうとつを設けたことでレンジでの加熱の際、うまみを閉じ込めることができる。また、食品包装用ロールラップフィルムのおうとつの量や大きさを加減することにより、デリケートの食品を包む際、密閉度を上げたり下げたりすることができる等の両方を兼ね備えることができるのでさらなる使用範囲が見込める。
【図面の簡単な説明】
【０００７】
【図１】本考案の簡単に食品包装用ロールラップフィルムを紙型ケースから引き出した状態を示す図
【図２】本考案の実施例を示す図で、食品包装用ロールラップフィルムをボール紙芯に巻き返された図
【考案を実施するための形態】
【０００８】  食品包装用ロールラップフィルム本体の長手方向に沿って両端に細かい穴を設ける。２列設けたことで、位置が確認出来、切り始めがスムーズになる。
また、平面透明フィルムに、細かいおうとつを設けたことで切れてもはがし易く、外に切りだすことが簡単にできる。
【実施例】
【０００９】  図１は、本考案の簡単に切り出しが出来る食品包装用ロールラップフィルムを示す図である。１は紙箱ケースで図２に示しているようにボール紙芯７に巻き返された食品包装用ロールラップフィルムが収納されている。紙箱ケース１から引き出した平面透明フィルム３の両端２から３ｍｍと５ｍｍの位置に細かい穴４，５を設けられている。また平面透明フィルム３の中央部に細かいおうとつ６が設けられている。なお細かいおうとつ６は中央部の７０％の範囲に設けられている。【００１０】  本考案は、上記の実施例に限らず他の実施形態であっても構わない。たとえば、細かい穴の代わりに細かい切れ目であっても良いし、２列に限らず１列３列以上であっても良い。また穴の位置は３ｍｍ、５ｍｍ以外であっても構わない。細かいおうとつ７０％と書いたが、大きさや量の範囲を変えても良い。おうとつ部分が多い場合は、大きめの食品をデリケートに包み込むのに便利である。またおうおつを部分を少なくした場合には、密閉度が高くなり保存やレンジの加熱に適するなど応用範囲が広がる。
【符号の説明】
【００１１】１．紙箱ケース
２．食品包装用ロールラップフィルムの端
３．平面透明フィルム
４．細かい穴
５．細かい穴
６．おうとつ
７．ボール紙芯
【図１】
0003174396.tif 000003
【図２】
0003174396.tif 000004
【手続補正書】
【提出日】平成23年12月22日(2011.12.22)
【手続補正１】
【補正対象書類名】実用新案登録請求の範囲
【補正対象項目名】全文
【補正方法】変更
【補正の内容】
【実用新案登録請求の範囲】
【請求項１】
食品包装用ロールラップフィルムであって、該食品包装用ロールラップフィルムの中心軸と平行な方向に沿って、かつ前記食品包装用ロールラップフィルムの端部に、多数の穴又は切れ目を設けたことを特徴とする食品包装用ロールラップフィルム。
【請求項２】
前記の請求項１に記載した食品包装用ロールラップフィルムの表面におうとつを設けたことを特徴とする食品包装用ロールラップフィルム。
【手続補正２】
【補正対象書類名】明細書
【補正対象項目名】０００５
【補正方法】変更
【補正の内容】
【０００５】  本考案は、上記課題を解決するために、食品包装用ロールラップフィルムの中心軸と平行な方向に沿って、かつ前記食品包装用ロールラップフィルムの端部に、多数の穴又は切れ目を設けたことを特徴とする食品包装用ロールラップフィルムである。また前記に記載した食品包装用ロールラップフィルムの表面におうとつを設けたことを特徴とする食品包装用ロールラップフィルムである。
【手続補正３】
【補正対象書類名】明細書
【補正対象項目名】０００６
【補正方法】変更
【補正の内容】
【０００６】    上述のように、本考案は中心軸と平行な方向に沿って、かつ前記食品包装用ロールラップフィルムの端部に細かい穴又は切れ目を設けたことで切り始め位置が分かりやすくなり、スムーズにフィルムを引き出すことができる。また細かいおうとつを設けたことでより簡単に巻回したフィルムを引き出すことができ、さらに食品をラップする際に密閉度を上げたり下げたりすることが出来る。
以上の発明により、誰にでも簡単に食品包装用ロールラップフィルムを扱うことができる。従来、無駄にしていた食品包装用ロールラップフィルムの量が低減するため二酸化炭素の削減となり環境に優しくなる。なお、細かいおうとつを設けたことでレンジでの加熱の際、うまみを閉じ込めることができる。また、食品包装用ロールラップフィルムのおうとつの量や大きさを加減することにより、デリケートの食品を包む際、密閉度を上げたり下げたりすることができる等の両方を兼ね備えることができるのでさらなる使用範囲が見込める。
【手続補正４】
【補正対象書類名】明細書
【補正対象項目名】０００８
【補正方法】変更
【補正の内容】
【０００８】  食品包装用ロールラップフィルム本体の中心軸と平行な方向に沿って、かつ前記食品包装用ロールラップフィルムの端部に沿って両端に細かい穴を設ける。ここで述べる食品包装用ロールラップの中心軸と平行な方向とは、ボール紙芯７と直角に交わる方向とする意味である。２列設けたことで、位置が確認出来、切り始めがスムーズになる。
また、平面透明フィルムに、細かいおうとつを設けたことで切れてもはがし易く、外に切りだすことが簡単にできる。